(57)【要約】インナーキャップ(１１)の内周面下部に、その緊締に伴ってボトルネック(２)の抜け止めフランジを乗り越え、その後抜け止めフランジ(４)によって係止される突条(１７)が形成され、インナーキャップ(１１)の外周面上部に段差(１４)を有する斜面の環状段部(１３)が形成されると共に、アウターキャップ(２１)の内周面に環状段部(１３)の斜面に沿って摺動する凸部(２３)が形成され、凸部(２３)が段差(１４)によってロックされることにより、アウターキャップ(２１)がインナーキャップ(１１)に対して一回転方向においてのみ作用してインナーキャップ(１１)を回動させる。
2018230307.tif 000002
【特許請求の範囲】
【請求項１】
螺設したボトルネックにねじ付けられるインナーキャップと前記インナーキャップに被装されるアウターキャップとから成る揮散キャップを備えた揮散容器であって、  前記インナーキャップと前記アウターキャップにはそれぞれ連通し合う揮散口が開設され、  前記インナーキャップの内周面下部に、前記アウターキャップを介して前記インナーキャップを緊締することによって前記ボトルネックの最下部に設けられる抜け止めフランジを乗り越え、その後前記抜け止めフランジによって係止される一連の又は不連続の突条が形成され、  前記インナーキャップの外周面下部に、前記アウターキャップの内周面下部に形成される環溝内に摺動可能に嵌合する一連の又は不連続の突環が形成され、  また、前記インナーキャップの外周面上部に段差を有する斜面の環状段部が形成されると共に、前記アウターキャップの内周面に、前記環状段部の斜面に沿って摺動する凸部が形成され、前記アウターキャップは、前記凸部が前記環状段部の段差によってロックされることにより、前記インナーキャップに対して一回転方向においてのみ作用して前記インナーキャップを回動させることを特徴とする揮散容器。
【請求項２】
前記段差は、前記環状段部に９０度間隔で４箇所に又は１８０度間隔で２箇所に設けられ、前記凸部は、前記アウターキャップの内周面に９０度間隔で４箇所に又は１８０度間隔で２箇所に設けられる、請求項１に記載の揮散容器。
【請求項３】
前記インナーキャップの外周面下部に形成される突環は、前記アウターキャップの内周面下部に形成される環溝内に遊びをもって嵌合される、請求項１又は２に記載の揮散容器。
【請求項４】
前記インナーキャップと前記アウターキャップの相対的回転により、前記インナーキャップの揮散口と前記アウターキャップの揮散口の開口度合いの調整が可能である、請求項１乃至３のいずれかに記載の揮散容器。
【発明の詳細な説明】
【技術分野】
【０００１】  本発明は揮散容器に関するものであり、より詳細には、使用時の安全、衛生等のために、一旦締め付けた後キャップを取り外すことができなくなる構造の揮散容器に関するものである。
【背景技術】
【０００２】  揮散容器は、芳香剤、殺菌剤、殺虫剤等を収納し、時間をかけてそれらを揮散させるためのものであるが、前記揮散容器に収納する内容物が人体にとって有害である場合が少なくない。そのような内容物を対象とする揮散容器の場合、年少者や高齢者が誤って蓋を外し、薬液等がこぼれ出して人体に危害が及ぶおそれがあることは否めない。【０００３】  例えば、二酸化塩素分子を利用して室内のウイルス・細菌を除去し、カビの成育を抑制し、また、生ごみ等の悪臭を消臭する室内置き型タイプの揮散装置が市販されている。この揮散装置は、ボトル内に液状薬剤が充填されて密封された状態で市販されており、使用に際して密封蓋を外し、同梱されている顆粒剤を投入して液状薬剤と化学反応させ、発生した二酸化塩素ガスを室内に揮散させるもので、顆粒剤投入後に同梱の揮散口を有する揮散キャップに付け替えるタイプのものである。【０００４】  上記で使用される揮散容器の場合、顆粒剤と液状薬剤とを化学反応させて二酸化塩素ガスを発生させた後に被着する付け替え揮散キャップには、取り外し抑制対策が施されていない。そのような揮散容器の場合、誤って揮散キャップが外され、薬液等がこぼれ出して人体に危害が及ぶおそれがある。【０００５】  従来、このような場合を考慮して、蓋を外れにくくするための工夫が種々提案されている（例えば、特許文献１、特許文献２、特許文献３）。しかし、これらの構成の場合、蓋が外れにくいといっても、それは子供の力でも取り外せるレベルのものであるに過ぎないので、これらの構成を以て、上記危害の発生を有効に防止することはできない。
【先行技術文献】
【特許文献】
【０００６】
【特許文献１】特開２００２−１７３１８６号公報
【特許文献２】特開平１１−２６２５１８号公報
【特許文献３】特許第５３８９５３３号公報
【発明の概要】
【発明が解決しようとする課題】
【０００７】  上記のとおり、従来の揮散容器の場合は、揮散キャップの取り外し抑制対策が十分に施されていないため、誤って揮散キャップが外されて薬液等がこぼれ出し、人体に危害が及んだり、幼児が内容物を口にするといった危険があった。【０００８】  そこで本発明は、揮散キャップが使用時に一旦締め付けられると、その後取り外すことが確実にできなくなるため、誤って揮散キャップが外されて中身が流出し、人体に危害が及ぶおそれがない揮散容器を提供することを課題とする。
【課題を解決するための手段】
【０００９】  上記課題を解決するための請求項１に記載の発明は、螺設したボトルネックにねじ付けられるインナーキャップと前記インナーキャップに被装されるアウターキャップとから成る揮散キャップを備えた揮散容器であって、  前記インナーキャップと前記アウターキャップにはそれぞれ連通し合う揮散口が開設され、前記インナーキャップの内周面下部に、前記アウターキャップを介して前記インナーキャップを緊締することによって前記ボトルネックの最下部に設けられる抜け止めフランジを乗り越え、その後前記抜け止めフランジによって係止される一連の又は不連続の突条が形成され、  前記インナーキャップの外周面下部に、前記アウターキャップの内周面下部に形成される環溝内に摺動可能に嵌合する一連の又は不連続の突環が形成され、  また、前記インナーキャップの外周面上部に段差を有する斜面の環状段部が形成されると共に、前記アウターキャップの内周面に、前記環状段部の斜面に沿って摺動する凸部が形成され、前記アウターキャップは、前記凸部が前記環状段部の段差によってロックされることにより、前記インナーキャップに対して一回転方向においてのみ作用して前記インナーキャップを回動させることを特徴とする揮散容器である。【００１０】  一実施形態においては、前記段差は、前記環状段部に９０度間隔で４箇所に又は１８０度間隔で２箇所に設けられ、前記凸部は、前記アウターキャップの内周面に９０度間隔で４箇所に又は１８０度間隔で２箇所に設けられる。また、一実施形態においては、前記インナーキャップの外周面下部に形成される突環は、前記アウターキャップの内周面下部に形成される環溝内に遊びをもって嵌合される。【００１１】  一実施形態においては、前記インナーキャップと前記アウターキャップの相対的回転により、前記インナーキャップの揮散口と前記アウターキャップの揮散口の開口度合いの調整が可能である。
【発明の効果】
【００１２】  本発明に係る揮散容器は上記構成であるため、揮散キャップが使用時に一旦締め付けられると、インナーキャップの突条がボトルネックの抜け止めフランジを乗り越えて抜け止めフランジによって係止されるため、その後揮散キャップを取り外すことが確実にできなくなる。そのため、誤って揮散キャップが外されて中身が流出し、人体に危害が及んだりするおそれがないという効果があり、揮散容器として好適なものとなる。
【図面の簡単な説明】
【００１３】
【図１】本発明に係る揮散容器の構成を示す分解斜視図である。
【図２】本発明に係る揮散容器の要部の構成を示す縦断面図である。
【図３】本発明に係る揮散容器のインナーキャップを示す正面図である。
【図４】本発明に係る揮散容器のアウターキャップを示す正面図及び底面図である。
【図５】本発明に係る揮散容器のボトルネックとインナーキャップとアウターキャップの結合状態を示す縦断面図である。
【図６】本発明に係る揮散容器のインナーキャップとアウターキャップの揮散口の種々の形状例を示す平面図である。
【発明を実施するための形態】
【００１４】  本発明に係る揮散容器につき、添付図面に依拠して説明する。図１は、本発明に係る揮散容器の一実施形態の分解斜視図で、そこに記載されるように本揮散容器は、ボトル１と、ボトル１のボトルネック２にねじ付けられる揮散キャップとから成るものである。揮散キャップは、インナーキャップ１１と、インナーキャップ１１に係合被装されるアウターキャップ２１とで構成される二重キャップである。通例、インナーキャップ１１とアウターキャップ２１はポリプロピレンなどの樹脂製であるが、キャップを握持した際の変形を抑止するために、剛性に優れるグレードのものが好ましい。また、好ましくは、インナーキャップ１１とアウターキャップ２１間の摩擦を減らし、両キャップ間の滑りをよくするために、表面塗布型又は練込み型の帯電防止剤が用いられる。
【００１５】  ボトル１のボトルネック２には、インナーキャップ１１をねじ付けるためのネジ山３が形成され、また、ネジ山３の下側に環状の抜け止めフランジ４が形成される。
【００１６】  インナーキャップ１１の上面はドーム形状等にされ、そこに適宜サイズの揮散口１２が多数穿設される。揮散口１２は、後述するアウターキャップ２１の揮散口２２に対応するものであり、揮散口１２，２２の開口度合いは、インナーキャップ１１とアウターキャップ２１の相対的回動操作によって調整可能である。揮散口１２，２２の形状及び配置は任意で、図１に示されるような長孔を放射状に配置するものに限らず、図６に例示されるような、多種多様な形状及び配置が可能である。
【００１７】  インナーキャップ１１の上面周縁には、複数個所に段差１４を設けた環状段部１３が形成される。段差１４は、例えば、インナーキャップ１１の上面周縁に９０度間隔で４箇所に配設され、あるいは、１８０度間隔で２箇所に配設されるが、その他の間隔にしてもよいことは言うまでもない。各段差１４間は斜面にされるが（図２，３参照）、反時計回りに回転させた際の摩擦抵抗を極力減らすために、なるべく緩やかな斜面とすることが好ましい。また、インナーキャップ１１の外周面下部に、一連の又は不連続の環状の突環１５が形成され、更にその内周面に、ボトルネック２のネジ山３に対応するネジ山１６が形成されると共に、その下側に、一連の又は不連続の突条１７が形成される。図２に示される例では、突条１７は４つに分断されている。
【００１８】  アウターキャップ２１の上面はインナーキャップ１１の上面に対応するドーム形状等にされ、上記のように揮散口２２が多数形成される。アウターキャップ２１の内周面の上部に、９０度間隔で４箇所、あるいは、１８０度間隔で２箇所、環状段部１３の斜面に沿って摺動する凸部２３が形成される（図２，３参照）。例えば、凸部２３は、揮散口２２形成位置に一つ置きに配設される（図２，３参照）。また、アウターキャップ２１の内周面下部に、インナーキャップ１１の突環１５が嵌入する環溝２４が形成され、その下側に、環溝２４を画成する環状受け部２５が形成される（図２，３参照）。突環１５は、環溝２４内にある程度の遊びをもって嵌合される。また、環状受け部２５の内径は、突環１５の外径よりも若干小さくなるように設計される。
【００１９】  本発明に係る揮散容器は、例えば、液状薬剤が充填されて密封シールが貼られ、後に廃棄される仮蓋が被着されたボトル１と、インナーキャップ１１とアウターキャップ２１から成る揮散キャップと、使用時にボトル１内に投入される顆粒剤とが同梱されて販売に供される。そして、使用時に仮蓋を外して密封シールを剥がし、ボトル１内に顆粒剤を投入して液状薬剤と化学反応を起こさせる。その後、インナーキャップ１１とアウターキャップ２１の揮散キャップをねじ付け、化学反応により発生するガスを揮散口１２，２２を通して揮散させる。
【００２０】  インナーキャップ１１とアウターキャップ２１から成る揮散キャップのねじ付けに際しては、先ず、アウターキャップ２１をインナーキャップ１１に被せ、押し込むことで、突環１５を強制的に環溝２４内に滑り込ませる。この操作は、アウターキャップ２１がある程度の弾性を有していることで可能となる。かくして、突環１５が環溝２４内に収まり、そこにおいて係止されるため、アウターキャップ２１はインナーキャップ１１から外せなくなる。    
【００２１】  このようにアウターキャップ２１をインナーキャップ１１に被着した状態において、アウターキャップ２１の内周面に配設さている凸部２３がインナーキャップ１１の環状段部１３の斜面に当接する。そして、突環１５は環溝２４内に密に収まっている訳ではなく、若干の遊びがあるので、アウターキャップ２１はインナーキャップ１１に対して回動可能である。
【００２２】  但し、アウターキャップ２１の凸部２３が環状段部１３の下り斜面に沿って摺動するように回動させる場合（通例、時計回り）は、段差１４に当たったところでそれ以上の回動が阻止される。一方、逆方向に回動させた場合（通例、反時計回り）は、凸部２３が環状段部１３の上り斜面に沿って摺動するため、段差１４を越えることができる。即ち、アウターキャップ２１のその方向への回動（空回り）は可能である。
【００２３】  上記のようにしてアウターキャップ２１をインナーキャップ１１に被着した状態で、インナーキャップ１１をボトル１のボトルネック２にねじ付けていくが、そのねじ付けは、アウターキャップ２１を回すことによって達成される。即ち、アウターキャップ２１を、通例時計回り方向であるねじ付け方向に回動させると、凸部２３が段差１４に当たることで、その回動力がそのままインナーキャップ１１に伝達される。かくしてアウターキャップ２１をねじ付け方向に回動させると、インナーキャップ１１が一体に回動し、先ず、突条１７がボトルネック２のネジ山３に螺合して螺進し、次いでネジ山１６がネジ山３に螺合して螺進する。
【００２４】  やがて突条１７が抜け止めフランジ４に当接するに至って抵抗が生ずるが、そのまま強く回動させると、突条１７が抜け止めフランジ４を乗り越える。この突条１７の抜け止めフランジ４の乗り越えは、単なる押し込みではなく、螺進力によるため、比較的小さな力で簡単に行うことができる。このようにして突条１７が抜け止めフランジ４を乗り越えると、その後突条１７は抜け止めフランジ４に確固と係止されて、抜き取り不可となる。
【００２５】  このように本発明に係る揮散容器の場合、使用に際して内外二重の揮散キャップに付け替え、一端締め付けると、以後揮散キャップを取り外すことができなくなるので、不用意に揮散キャップが外されて中身が流出するような事態の発生が回避され、当該揮散容器を長期間安全且つ衛生的に使用し続けることができるものであり、その産業上の利用可能性は大である。
【図１】
2018230307.tif 000003
【図２】
2018230307.tif 000004
【図３】
2018230307.tif 000005
【図４】
2018230307.tif 000006
【図５】
2018230307.tif 000007
【図６】
2018230307.tif 000008
【国際調査報告】
2018230307.tif 000009
2018230307.tif 000010
2018230307.tif 000011
2018230307.tif 000012